(57)【特許請求の範囲】
【請求項１】
遮断機能を具備する遮断機器要素と断路機能および接地機能の少なくとも一方を具備する開閉機器要素とを絶縁性ガスを封入した接地された金属製密閉容器に収納したスイッチギヤ本体を備え、前記遮断機器要素および開閉機器要素を架空電力線と接続するスイッチギヤにおいて、前記スイッチギヤ本体と間隔を置いて並んで設けられた支持台と、前記支持台の上部に垂直方向に延在して配設される架空電力線接続用ブッシングと、前記金属製密閉容器の側部に少なくとも一端を前記金属製密閉容器に挿入して設けられ前記遮断機器要素および開閉機器要素と接続された機器接続用ブッシングとを設け、前記機器接続用ブッシングの他端と前記架空電力線接続用ブッシングの下端とを湾曲部を有し可撓性を持つ接続導体を介して接続することを特徴とするスイッチギヤ。
【請求項２】
遮断機能を具備する遮断機器要素と断路機能および接地機能の少なくとも一方を具備する開閉機器要素とを固体絶縁物でモールドし、前記モールドされた固体絶縁物の外面に導電層を設け、この導電層を接地電位に接続して構成したスイッチギヤ本体を備え、前記遮断機器要素および開閉機器要素を架空電力線と接続するスイッチギヤにおいて、前記スイッチギヤ本体と間隔を置いて並んで設けられた支持台と、前記支持台の上部に垂直方向に延在して配設される架空電力線接続用ブッシングと、前記固体絶縁物の側部に設けられ側方または側方斜め上方に開口する開口部に少なくとも一端を挿入して設けられ前記遮断機器要素および開閉機器要素と接続された機器接続用ブッシングとを設け、前記機器接続用ブッシングの他端と前記架空電力線接続用ブッシングの下端とを湾曲部を有し可撓性を持つ接続導体を介して接続することを特徴とするスイッチギヤ。
【請求項３】
前記支持台は、前記スイッチギヤ本体を設置する基礎部と共通の基礎部上に設置したことを特徴とする請求項１または請求項２に記載のスイッチギヤ。
【請求項４】
前記機器接続用ブッシングは、前記金属製密閉容器の内部に向かって略円錐形の凸型部を表面に形成しこの凸型部の内面に略円錐形の凹型部を有する絶縁部材により中心部に設けた接続端子を絶縁支持することを特徴とする請求項１に記載のスイッチギヤ。
【請求項５】
前記金属製密閉容器の側部に設けられる前記機器接続用ブッシングを取り付けるための開口部が側方のみに開口することを特徴とする請求項１に記載のスイッチギヤ。
【請求項６】
前記金属製密閉容器の側部に設けられる前記機器接続用ブッシングを、前記金属製密閉容器に収納され互いに並設された断路機能を具備する開閉機器要素の固定側端子と断路機能および接地機能を具備する開閉機器要素の固定側端子と避雷器の主回路側端子の何れか一つの側方に配置したことを特徴とする請求項１または請求項５に記載のスイッチギヤ。
【請求項７】
前記金属製密閉容器の側部に設けられる前記機器接続用ブッシングを、前記金属製密閉容器に収納され互いに並設された断路機能を具備する開閉機器要素の可動軸、断路機能および接地機能を具備する開閉機器要素の可動軸、避雷器の主回路側端子の何れか一つの軸線上に、前記機器接続用ブッシング内に設けられた接続端子を延在して配置したことを特徴とする請求項１または請求項５に記載のスイッチギヤ。
【請求項８】
前記金属製密閉容器の側部に設けられる前記機器接続用ブッシングを、前記金属製密閉容器に収納され互いに並設された断路機能を具備する開閉機器要素の可動軸、断路機能および接地機能を具備する開閉機器要素の可動軸、避雷器の主回路側端子の何れか一つの軸線上に、前記機器接続用ブッシング内に設けられた絶縁部材における略円錐形の凹型部の中心軸を配置したことを特徴とする請求項１または請求項５に記載のスイッチギヤ。
【請求項９】
前記金属製密閉容器の側部に設けられた前記機器接続用ブッシングは、スイッチギヤ本体の前記金属製密閉容器に気密に結合されていることを特徴とする請求項１および請求項５から請求項７までのいずれかに記載のスイッチギヤ。
【請求項１０】
前記接続導体に装着される変流器を設けたことを特徴とする請求項１から請求項９までのいずれかに記載のスイッチギヤ。
【請求項１１】
前記接続導体を、導体に絶縁被覆を施した絶縁ケーブルで構成したことを特徴とする請求項１から請求項１０までのいずれかに記載のスイッチギヤ。
【請求項１２】
前記接続導体を、外被を接地電位に保持される導電層で覆った絶縁母線で構成したことを特徴とする請求項１から請求項１０までのいずれかに記載のスイッチギヤ。
【請求項１３】
前記機器接続用ブッシングを設けたスイッチギヤ本体における前記金属製密閉容器の側部を、前記機器接続用ブッシングを取り付けるための開口部が側方斜め上方に開口するように屈折させていることを特徴とする請求項１および請求項５から請求項１２までのいずれかに記載のスイッチギヤ。
【請求項１４】
前記機器接続用ブッシングを設けた変圧器における前記金属製密閉容器の側部を、前記機器接続用ブッシングを取り付けるための開口部が側方斜め下方に開口するように屈折させていることを特徴とする請求項１および請求項６から請求項１２のいずれかに記載のスイッチギヤ。
【請求項１５】
前記スイッチギヤ本体の側方から架空電力線接続用ブッシングの下方までを、連続する保護パネル部材によって覆ったことを特徴とする請求項１および請求項２ならびに請求項５から請求項１０までのいずれかに記載のスイッチギヤ。
【発明の詳細な説明】
【技術分野】
【０００１】
この発明は、電力の送配電および受電設備などに用いられるスイッチギヤの構造に関する。
【背景技術】
【０００２】
従来技術では、スイッチギヤを構成するガス絶縁開閉装置本体を架空電力線に接続するため、ガス絶縁開閉装置本体が側方に突出しており、この突出部と架空電力線接続用ブッシングとが直線状の接続導体によって接続されている（例えば、特許文献１参照）。
【０００３】
【特許文献１】特開２０００−２３２７０７号公報
【発明の開示】
【発明が解決しようとする課題】
【０００４】
従来のスイッチギヤは、下記の課題を有する。
１．主回路機器とブッシングとの接続において、ガス絶縁開閉装置本体が側方に突出しており、この突出部内に主回路とブッシングの接続用導体を用いなければならない、また、ブッシングは３路に分岐した複雑な形状である。
２．ブッシングと架空電力線接続用ブッシング間をほぼ直線的に接続しており、接続導体に合せて双方のブッシング位置の調整または、双方のブッシング間の寸法誤差が生じた場合にブッシングと接続導体の嵌合部または架空電力線接続用ブッシングと接続導体の嵌合部の何れか一方または両方において嵌合寸法の過不足が生じ、接続部の性能に影響を与えてしまう。
【０００５】
この発明は、スイッチギヤ本体内部における機器接続用ブッシングから内部機器要素への接続構造を単純化できるとともに、機器接続用ブッシングから外部への接続において寸法誤差等による位置調整の要請にも円滑に対応できるスイッチギヤを得ようとするものである。
【課題を解決するための手段】
【０００６】
この発明に係るスイッチギヤでは、遮断機能を具備する遮断機器要素と断路機能および接地機能の少なくとも一方を具備する開閉機器要素とを金属製密閉容器に収納したスイッチギヤ本体を備えたスイッチギヤにおいて、前記スイッチギヤ本体と間隔を置いて並んで設けられた支持台と、前記支持台の上部に垂直方向に延在して配設される架空電力線接続用ブッシングと、前記金属製密閉容器の側部に少なくとも一端を前記金属製密閉容器に挿入して設けられ前記遮断機器要素および開閉機器要素と接続された機器接続用ブッシングとを設け、前記機器接続用ブッシングの他端と前記架空電力線接続用ブッシングの下端とを湾曲部を有し可撓性を持つ接続導体を介して外部と接続するものである。
【発明の効果】
【０００７】
この発明に係るスイッチギヤでは、ガス絶縁スイッチギヤ本体内部における機器接続用ブッシングから内部機器要素への接続構造を単純化できるとともに、機器接続用ブッシングから架空電力線接続用ブッシングを介して行われる外部への接続において寸法誤差等による位置調整の要請にも円滑に対応できるガス絶縁スイッチギヤを得ることができる。
【発明を実施するための最良の形態】
【０００８】
実施の形態１．
この発明による実施の形態１を図１から図３までについて説明する。図１は実施の形態１におけるガス絶縁スイッチギヤの構成を示す側面図である。図２は実施の形態１におけるガス絶縁スイッチギヤの構成を示す端面図である。図３は実施の形態１における機器接続用ブッシングの詳細構成を示す拡大側面図である。
【０００９】
この発明による実施の形態１におけるガス絶縁スイッチギヤの構成を示す図１において、スイッチギヤ本体１内には遮断器２，断路器３，接地開閉器４などの主回路機器を収納し、ＳＦ６ガス，窒素ガス，乾燥空気などの絶縁性ガスを密閉した金属製密閉容器５を配置し、断路器３の側方の金属製密閉容器５に、金属製密閉容器５の内部に一端を挿入される固体絶縁物製のブッシング６を気密に取付けている。
スイッチギヤ本体１から側方に突出したスイッチギヤ本体１の金属製密閉容器５を固定している基礎部１ａの上に支持台７を取付け、支持台７の上方に架空電力線接続用ブッシング８を架空電力線接続用ブッシングの先端部８ａが、接続する架空電力線の系統電圧によって決定される距離以上となるように離して配置し、架空電力線接続用ブッシング８内の導体の下端と、金属製密閉容器５の側方に気密に取付けた機器接続用ブッシング６の間を湾曲部９ａを有する可撓性を持つ接続導体９によって接続した。
【００１０】
金属製密閉容器５の内部に収納された断路器３や接地開閉器４等の主回路機器の外部との電気的接続を行うため金属製密閉容器５の側方に気密に取付けられた機器接続用ブッシング６は、金属製密閉容器５内に収納している断路器３の固定側端子３ａの側方に配置し、また、上記断路器３の水平に移動する可動子３ｂの可動軸線と機器接続用ブッシング６の中心が一致するように配置している。
機器接続用ブッシング６は、図３に示すように、金属製密閉容器５の内部に向かって略円錐形の凸型部６ａを外面に形成しこの凸型部６ａの内面に略円錐形の凹型部６ｂを有する絶縁部材により中心部に設けた接続端子６ｃを絶縁支持しており、金属製密閉容器５の開口部５ａに取り付けられている。
この機器接続用ブッシング６の内部に設けられた接続端子３ｃは、断路器３の可動軸の軸線上に延在しており、かつ、断路器３の可動軸の軸線上に機器接続用ブッシング６の接続端子３ｃを絶縁支持する絶縁部材における凹型部６ｂの中心軸が配置されている。
【００１１】
ここで、主回路機器としての遮断器２は、遮断機能を具備する遮断器（ＣＢ）として構成され、主回路機器として断路器３は断路機能を具備する断路器（ＤＳ）として構成される。主回路機器としての接地開閉器４は接地機能を具備する接地開閉器（ＥＳ）または断路機能および接地機能を具備する接地開閉器（ＥＳ）および断路器（ＤＳ）接地開閉器（ＥＳ）機能を付加した３位置断路器（ＤＳ）として構成されている。
【００１２】
この発明による実施の形態１では、スイッチギヤ本体１の基礎部１ａ上に設置した支持台７により架空電力線接続用ブッシング８を支持することによって、スイッチギヤ本体１の側方に設けた機器接続用ブッシング６の接続導体接続部と架空電力線接続用ブッシング８の内部に設けた内部導体の下端との距離の精度が向上し、接続導体を現物あわせにて加工せずに接続することができる。また、スイッチギヤ本体１の側方に設けた機器接続用ブッシング６の接続導体接続部と架空電力線接続用ブッシング８の内部に設けた内部導体の下端が概ね垂直になるように配置し、接続導体９に例えばケーブルなどの可撓性を有する導体を使用することによって、スイッチギヤ本体１の側方に設けた機器接続用ブッシング６の接続導体接続部と架空電力線接続用ブッシングの内部に設けた内部導体の下端との距離の誤差が生じた場合にも、接続導体９の屈折部の曲げ曲率を変えるなどの容易な対応によって、誤差による接続部への影響を回避できる。
【００１３】
なお、図１から図３まででは機器接続用ブッシング６を断路器３の側方に配置した例を示しているが、接地開閉器４の固定側端子４ａの側方または避雷器１０の主回路側端子１０ａの側方に機器接続用ブッシング６を設けてもよい。この場合には、機器接続用ブッシング６の内部に設けられた接続端子３ｃは、接地開閉器４の可動軸または避雷器１０の軸線上に延在し、かつ、接地開閉器４の可動軸または避雷器１０の軸線上に機器接続用ブッシング６の接続端子３ｃを絶縁支持する絶縁部材における凹型部６ｂの中心軸が配置される。
そして、この実施の形態１では、架空電力線接続用ブッシング８を支持する支持台７をスイッチギヤ本体１を設置する基礎部１ａと共通の基礎部に前記スイッチギヤ本体１と並んで設けたものについて述べたが、架空電力線接続用ブッシング８を支持する支持台７をスイッチギヤ本体１を設置する基礎部１ａと分離した別個の基礎部に設けるようにしてもよい。
さらに、この実施の形態１では、機器接続用ブッシング６と架空電力線接続用ブッシング８とを湾曲部９ａを有し可撓性を持つ接続導体９を介して接続するものについて述べたが、接続導体９は寸法調整が可能な構成ならば湾曲部９ａを有していなくてもよい。
【００１４】
（１Ａ）この発明による実施の形態１によれば、遮断器２からなる遮断機能を具備する遮断機器要素と、断路器３または接地開閉器４からなる断路機能および接地機能の少なくとも一方を具備する開閉機器要素とを絶縁性ガスを封入した接地された金属製密閉容器５に収納したスイッチギヤを並べて構成したガス絶縁スイッチギヤ本体を備え、前記遮断機器要素および開閉機器要素を架空電力線と接続するガス絶縁スイッチギヤにおいて、スイッチギヤ本体１を設置する基礎部１ａと共通の基礎部に前記スイッチギヤ本体１と並んで設けられ架空電力線接続用ブッシング８を支持する支持台７と、前記金属製密閉容器５の側部に少なくとも一端を前記金属製密閉容器５に挿入して設けられ前記遮断機器要素および開閉機器要素と接続された機器接続用ブッシングとを設け、前記機器接続用ブッシング６と前記架空電力線接続用ブッシング８とを湾曲部９ａを有し可撓性を持つ接続導体９を介して接続するようにしたので、ガス絶縁スイッチギヤ本体１内部における機器接続用ブッシング６から内部機器要素への接続構造を単純化できるとともに、機器接続用ブッシング６から外部への接続において寸法誤差等による位置調整の要請にも円滑に対応できるガス絶縁スイッチギヤを得ることができる。
【００１５】
（１Ｂ）この発明による実施の形態１によれば、前記（１Ａ）項における構成において、前記機器接続用ブッシング６は前記金属製密閉容器５の内部に向かって略円錐形の凸型部６ａを表面に形成しこの凸型部６ａの内面に略円錐形の凹型部６ｂ（図３参照）を有する絶縁部材により中心部に設けた接続導体６ｃ（図３参照）を絶縁支持するようにしたので、ガス絶縁スイッチギヤ本体１内部における機器接続用ブッシング６から内部機器要素への接続構造を単純化できるとともに、機器接続用ブッシング６から外部への接続において寸法誤差等による位置調整の要請にも円滑に対応でき、しかも、機器接続用ブッシング６における中心端子の絶縁支持を簡潔な構成で確実に行えるガス絶縁スイッチギヤを得ることができる。
【００１６】
（１Ｃ）この発明による実施の形態１によれば、前記（１Ａ）項における構成において、前記金属製密閉容器５の側部に設けられる前記機器接続用ブッシング６を取り付けるための開口部５ａが側方のみに開口するようにしたので、ガス絶縁スイッチギヤ本体１内部における機器接続用ブッシング６から内部機器要素への接続構造を単純化できるとともに、機器接続用ブッシング６から外部への接続において寸法誤差等による位置調整の要請にも円滑に対応でき、しかも、機器接続用ブッシング６の構成を単純な構造とすることができるガス絶縁スイッチギヤを得ることができる。
【００１７】
（１Ｄ）この発明による実施の形態１によれば、前記（１Ａ）項または前記（１Ｃ）項における構成において、前記金属製密閉容器５の側部に設けられる前記機器接続用ブッシング６を、前記金属製密閉容器５に収納され互いに並設された断路器３からなる断路機能を具備する開閉機器要素の固定側端子３ａと接地開閉器４からなる断路機能および接地機能を具備する開閉機器要素の固定側端子４ａと避雷器１０の主回路側端子１０ａの何れか一つの側方に配置したので、ガス絶縁スイッチギヤ本体１内部における機器接続用ブッシング６から内部機器要素への接続構造を単純化できるとともに、機器接続用ブッシング６から外部への接続において寸法誤差等による位置調整の要請にも円滑に対応でき、しかも、機器接続用ブッシング６の配置をガス絶縁スイッチギヤ本体１の内部機器要素に対して適合できるガス絶縁スイッチギヤを得ることができる。
【００１８】
（１Ｅ）この発明による実施の形態１によれば、前記（１Ａ）項または前記（１Ｃ）項における構成において、前記金属製密閉容器５の側部に設けられる前記機器接続用ブッシングを、前記金属製密閉容器５に収納され互いに並設された断路器３からなる断路機能を具備する開閉機器要素の可動軸３ａ、接地開閉器４からなる断路機能および接地機能を具備する開閉機器要素の可動軸４ｂ、避雷器１０の主回路側端子１０ａの何れか一つの軸線上に、前記機器接続用ブッシング６内に設けられた接続端子６ｃを延在して配置したので、ガス絶縁スイッチギヤ本体１内部における機器接続用ブッシング６から内部機器要素への接続構造を単純化できるとともに、機器接続用ブッシング６から外部への接続において寸法誤差等による位置調整の要請にも円滑に対応でき、しかも、機器接続用ブッシング６の配置をガス絶縁スイッチギヤ本体１に収納した内部機器要素の軸線に対して適合できるガス絶縁スイッチギヤを得ることができる。
【００１９】
（１Ｆ）この発明による実施の形態１によれば、前記（１Ｃ）項における構成において、前記金属製密閉容器５の側部に設けられる前記機器接続用ブッシング６を、前記金属製密閉容器５に収納され互いに並設された断路器３からなる断路機能を具備する開閉機器要素の可動軸３ａ、接地開閉器４からなる断路機能および接地機能を具備する開閉機器要素の可動軸４ａ、避雷器１０の主回路側端子１０ａの何れか一つの軸線上に、前記機器接続用ブッシング６内に設けられた絶縁部材における略円錐形の凹型部６ｂの中心軸を配置したので、ガス絶縁スイッチギヤ本体１内部における機器接続用ブッシング６から内部機器要素への接続構造を単純化できるとともに、機器接続用ブッシング６から外部への接続において寸法誤差等による位置調整の要請にも円滑に対応でき、しかも、機器接続用ブッシング６の中心軸の配置をガス絶縁スイッチギヤ本体の内部機器要素の軸線に対して適合できるガス絶縁スイッチギヤを得ることができる。
【００２０】
（１Ｇ）前記（１Ａ）項または前記（１Ｃ）項から前記（１Ｅ）項までのいずれかにおける構成において、前記金属製密閉容器５の側部に設けられた前記機器接続用ブッシング６は、スイッチギヤ本体１の前記金属製密閉容器５に気密に結合されているので、ガス絶縁スイッチギヤ本体１内部における機器接続用ブッシング６から内部機器要素への接続構造を単純化できるとともに、機器接続用ブッシング６から外部への接続において寸法誤差等による位置調整の要請にも円滑に対応できる、しかも、金属製密閉容器５の密閉性を確保できるガス絶縁スイッチギヤを得ることができる。
【００２１】
実施の形態２．
この発明による実施の形態２を図４について説明する。図４は実施の形態２におけるガス絶縁スイッチギヤの構成を示す側面図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００２２】
この発明による実施の形態２におけるガス絶縁スイッチギヤの構成を示す図４において、スイッチギヤ本体１内には遮断器２，断路器３，接地開閉器４などの主回路機器を収納し、ＳＦ６ガス，窒素ガス，乾燥空気などの絶縁性ガスを密閉した金属製密閉容器５を配置し、断路器３の側方の金属製密閉容器５に、金属製密閉容器５の内部に一端を挿入される固体絶縁物製のブッシング６を気密に取付けている。
スイッチギヤ本体１から側方に突出したスイッチギヤ本体１の金属製密閉容器５を固定している基礎部１ａの上に支持台７を取付け、支持台７の上方に架空電力線接続用ブッシング８を架空電力線接続用ブッシングの先端部８ａが、接続する架空電力線の系統電圧によって決定される距離以上となるように離して配置し、架空電力線接続用ブッシング８内の導体の下端と、金属製密閉容器５の側方に気密に取付けた機器接続用ブッシング６の間をＬ形コネクタ９ｂを中間部分に有する可撓性を持つ接続導体９によって接続した。
【００２３】
この発明による実施の形態２では、スイッチギヤ本体１の基礎部１ａ上に設置した支持台７により架空電力線接続用ブッシング８を支持することによって、スイッチギヤ本体１の側方に設けた機器接続用ブッシング６の接続導体接続部と架空電力線接続用ブッシング８の内部に設けた内部導体の下端との距離の精度が向上し、接続導体を現物あわせにて加工せずに接続することができる。また、スイッチギヤ本体１の側方に設けた機器接続用ブッシング６の接続導体接続部と架空電力線接続用ブッシング８の内部に設けた内部導体の下端が概ね垂直になるように配置し、接続導体９にＬ形コネクタ９ｂを中間部分に有する可撓性を持つ導体を使用することによって、スイッチギヤ本体１の側方に設けた機器接続用ブッシング６の接続導体接続部と架空電力線接続用ブッシングの内部に設けた内部導体の下端との距離の誤差が生じた場合にも、接続導体９の中間部分に設けられたＬ形コネクタ９ｂによって寸法調整をするなどの容易な対応によって、誤差による接続部への影響を回避できる。
【００２４】
（２Ａ）この発明による実施の形態２によれば、遮断器２からなる遮断機能を具備する遮断機器要素と、断路器３または接地開閉器４からなる断路機能および接地機能の少なくとも一方を具備する開閉機器要素とを絶縁性ガスを封入した接地された金属製密閉容器５に収納したスイッチギヤを並べて構成したガス絶縁スイッチギヤ本体を備え、前記遮断機器要素および開閉機器要素を架空電力線と接続するガス絶縁スイッチギヤにおいて、スイッチギヤ本体１を設置する基礎部１ａと共通の基礎部に前記スイッチギヤ本体１と並んで設けられ架空電力線接続用ブッシング８を支持する支持台７と、前記金属製密閉容器５の側部に少なくとも一端を前記金属製密閉容器５に挿入して設けられ前記遮断機器要素および開閉機器要素と接続された機器接続用ブッシングとを設け、前記機器接続用ブッシング６と前記架空電力線接続用ブッシング８とを中間部分にＬ形コネクタ９ｂを有し可撓性を持つ接続導体９を介して接続するようにしたので、ガス絶縁スイッチギヤ本体１内部における機器接続用ブッシング６から内部機器要素への接続構造を単純化できるとともに、機器接続用ブッシング６から外部への接続において寸法誤差等による位置調整の要請にも円滑に対応できるガス絶縁スイッチギヤを得ることができる。
【００２５】
実施の形態３．
この発明による実施の形態３を図５および図６について説明する。図５は実施の形態３におけるスイッチギヤの構成を示す側面図である。図６は実施の形態３における機器接続用ブッシングまわりの詳細構成を示す拡大側面図である。
この実施の形態３において、ここで説明する特有の構成以外の構成については、先に説明した実施の形態１における構成と同一の構成内容を具備し、同様の作用を奏するものである。図中、同一符号は同一または相当部分を示す。
【００２６】
この発明による実施の形態３におけるスイッチギヤの構成を示す図５において、スイッチギヤ本体１１内には遮断器２，断路器３，接地開閉器４などの主回路機器を固体絶縁物１２でモールドし、固体絶縁物１２の外面を接地された導電層１２ａで覆った主回路部を配置し、固体絶縁物１２の側方に略円錐形の窪んだ接続導体接続部１２ｂを有し、固体絶縁物１２内に埋設された断路器３または接地開閉器４に接続された接続端子１２ｃを埋設している。
スイッチギヤ本体１１から側方に突出したスイッチギヤ本体１１の主回路部を固定している基礎部１１ａの上に支持台７を取付け、支持台７の上方に架空電力線接続用のブッシング８を架空電力線接続用ブッシング８の先端部８ａが、接続する架空電力線の系統電圧によって決定される距離以上となるように離して配置し、架空電力線接続用ブッシング８内の導体の下端と、主回路部の側方に設けた接続導体接続部１２ｂの間を接続導体９によって接続している。
【００２７】
接続導体接続部１２ｂは、図６に示すように、固体絶縁物１２の側方に略円錐形の凹部を形成して設けられ、接続端子１２ｃと接続導体９への接続端子６ｃを機械的に結合し、かつ、電気的に接続している。
【００２８】
この発明による実施の形態３では、遮断器２，断路器３，接地開閉器４などの主回路機器を固体絶縁物１２でモールドした固体絶縁物の側方に、側方又は側方斜め上方に傾斜し開口した凹部に配設される接続導体接続部１２ｂを設け、架空電力線接続用ブッシング９をスイッチギヤ側方に延長した基礎部１１ａの上に設置した支持台７によって支持し、架空電力線接続用ブッシング８の内部に設けた内部導体の下端と、スイッチギヤ本体１の側方に結合した機器接続用ブッシング６の間を接続導体を介して接続することによって、スイッチギヤの側方に設けた接続導体接続部１２ｂと架空電力線接続用ブッシング６の内部に設けた内部導体６ｃの下端との距離の精度が向上し、接続導体を現物あわせにて加工せずに接続することができる。
また、スイッチギヤ本体１の側方に設けたブッシング６の接続導体接続部１２ｂと架空電力線接続用ブッシング８の内部に設けた内部導体の下端が概ね垂直になるように配置し、接続導体９に例えばケーブルなどの可撓性を有する導体を使用することによって、スイッチギヤ本体１の側方に設けたブッシングの接続導体接続部１２ｂと架空電力線接続用ブッシング８の内部に設けた内部導体の下端との距離の誤差が生じた場合にも、接続導体９の屈折部の曲げ曲率を変えるなどの容易な対応によって、誤差による接続部への影響を回避できる。
【００２９】
（３Ａ）この発明による実施の形態３によれば、遮断器２からなる遮断機能を具備する遮断機器要素と、断路器３または接地開閉器４からなる断路機能および接地機能の少なくとも一方を具備する開閉機器要素とを固体絶縁物１２でモールドし、前記モールドされた固体絶縁物１２の外面に導電層１２ａを設け、この導電層１２ａを接地電位に接続したスイッチギヤを並べて構成したスイッチギヤ本体１１を備え、前記遮断機器要素および開閉機器要素を架空電力線と接続するスイッチギヤにおいて、スイッチギヤ本体１１を設置する基礎部１ａと共通の基礎部に前記スイッチギヤ本体１１と並んで設けられ架空電力線接続用ブッシング８を支持する支持台７と、前記固体絶縁物１２の側部に設けられ側方または側方斜め上方に開口する接続導体接続部１２ｂを構成する開口部に少なくとも一端を挿入して設けられ前記遮断機器要素および開閉機器要素と接続された機器接続用ブッシング６とを設け、前記機器接続用ブッシング６と前記架空電力線接続用ブッシング８とを湾曲部９ａを有する可撓性を持つ接続導体９を介して接続するようにしたので、スイッチギヤ本体１内部における機器接続用ブッシング６から内部機器要素への接続構造を単純化できるとともに、機器接続用ブッシング６から外部への接続において寸法誤差等による位置調整の要請にも円滑に対応でき、しかも、スイッチギヤ本体１内部における絶縁性能を固体絶縁物１２により確保できるスイッチギヤを得ることができる。
【００３０】
実施の形態４．
この発明による実施の形態４を図７について説明する。図７は実施の形態４におけるガス絶縁スイッチギヤの構成を示す側面図である。
この実施の形態４において、ここで説明する特有の構成以外の構成については、先に説明した実施の形態１における構成と同一の構成内容を具備し、同様の作用を奏するものである。図中、同一符号は同一または相当部分を示す。
【００３１】
この発明による実施の形態４におけるガス絶縁スイッチギヤの構成を示す図７において、金属製密閉容器５への機器接続用ブッシング６の取付け部の構造および架空電力線接続用ブッシング８の取付け構造は図１と同様であるが、架空電力線接続用ブッシング８内の導体の下端と金属製密閉容器５の側方に気密に取付けた機器接続用ブッシング６の間を接続する接続導体９を貫通するように変流器１３を取付けている。
また、スイッチギヤ本体１の側方と架空電力線接続用ブッシング８の下方との間は、接地された金属製保護枠１４によって覆われている。
そして、接続導体９は、導体に絶縁被覆を施したケーブル、または、外被を接地電位に保持される導電層で覆った絶縁母線とすることができる。
【００３２】
（４Ａ）この発明による実施の形態４によれば、実施の形態１における前記（１Ａ）〜（１Ｇ）項および実施の形態３における前記（３Ａ）項のいずれかに記載の構成において、  前記接続導体９に装着される変流器１３を設けたので、ガス絶縁スイッチギヤ本体内部における機器接続用ブッシング６から内部機器要素への接続構造を単純化できるとともに、機器接続用ブッシング６から外部への接続において寸法誤差等による位置調整の要請にも円滑に対応でき、しかも変流器の接続導体への装着により変流器の取り付け構造を簡素化できるガス絶縁スイッチギヤを得ることができる。
【００３３】
（４Ｂ）この発明による実施の形態４によれば、実施の形態１における前記（１Ａ）〜（１Ｇ）項および実施の形態３における前記（３Ａ）項のいずれかに記載の構成において、前記接続導体を導体に絶縁外被を施した絶縁ケーブルあるいは外被を接地電位に保持される導電層で覆った絶縁母線で構成したので、ガス絶縁スイッチギヤ本体内部における機器接続用ブッシング６から内部機器要素への接続構造を単純化できるとともに、機器接続用ブッシング６から外部への接続において寸法誤差等による位置調整の要請にも円滑に対応でき、しかも絶縁ケーブルによる接続により機器接続用ブッシング６と架空電力線接続用ブッシング８との接続構成を簡素化できるガス絶縁スイッチギヤを得ることができる。
【００３４】
（４Ｃ）この発明による実施の形態４によれば、実施の形態１における前記（１Ａ）〜（１Ｇ）項および実施の形態３における前記（３Ａ）項のいずれかに記載の構成において、前記接続導体を外被を接地電位に保持される導電層で覆った絶縁母線で構成したので、ガス絶縁スイッチギヤ本体内部における機器接続用ブッシング６から内部機器要素への接続構造を単純化できるとともに、機器接続用ブッシング６から外部への接続において寸法誤差等による位置調整の要請にも円滑に対応でき、しかも絶縁母線による接続により機器接続用ブッシング６と架空電力線接続用ブッシング８との接続構成を簡素化できるガス絶縁スイッチギヤを得ることができる。
【００３５】
（４Ｄ）この発明による実施の形態４によれば、実施の形態１における前記（１Ａ）項〜（１Ｇ）項のいずれかに記載の構成において、前記スイッチギヤ本体の側方から架空電力線接続用ブッシングの下方までを、接地された金属製保護枠１４からなる連続する保護パネル部材によって覆ったので、ガス絶縁スイッチギヤ本体内部における機器接続用ブッシング６から内部機器要素への接続構造を単純化できるとともに、機器接続用ブッシング６から外部への接続において寸法誤差等による位置調整の要請にも円滑に対応でき、しかも飛来物などから接続導体を保護することができて、接続導体の品質を長期間維持することができるス絶縁スイッチギヤを得ることができる。
【００３６】
実施の形態５．
この発明による実施の形態５を図８および図９について説明する。図８は実施の形態５におけるガス絶縁スイッチギヤの構成を示す側面図である。図９は実施の形態５におけるガス絶縁スイッチギヤの構成を示す端面図である。
この実施の形態５において、ここで説明する特有の構成以外の構成については、先に説明した実施の形態１における構成と同一の構成内容を具備し、同様の作用を奏するものである。図中、同一符号は同一または相当部分を示す。
【００３７】
この発明による実施の形態５をガス絶縁スイッチギヤの構成を示す図８および図９において、金属製密閉容器５の内部に収納された断路器３や接地開閉器４等の主回路機器の外部との電気的接続を行うため金属製密閉容器５の側方に気密に取付けられた機器接続用ブッシング６は、金属製密閉容器５内に収納している接地開閉器４の固定側端子４ｂの側方に配置し、また、上記接地開閉器４の水平に移動する可動子４ａの可動軸の軸線と機器接続用ブッシング６の中心部に設けられた接続端子６ｃの延在方向が一致するように配置している。さらに、接地開閉器４の水平に移動する可動子４ａの可動軸の軸線上に、前記機器接続用ブッシング６内に設けられた略円錐形の凹型部６ｂの中心軸が配置されている。
そして、機器接続用ブッシング６は架空電力線用ブッシング８と湾曲部９ａを有する可撓性を持つ接続導体９を介して接続されている。
【００３８】
（５Ａ）この発明による実施の形態５によれば、実施の形態１における前記（１Ａ）項〜（１Ｃ）項のいずれかの構成において、前記金属製密閉容器の側部に設けられる前記機器接続用ブッシング６を、前記金属製密閉容器に収納された接地開閉器４からなる断路機能および接地機能を具備する開閉機器要素の固定側端子４ａの側方に配置したので、ガス絶縁スイッチギヤ本体１内部における機器接続用ブッシング６から内部機器要素への接続構造を単純化できるとともに、機器接続用ブッシング６から外部への接続において寸法誤差等による位置調整の要請にも円滑に対応でき、しかも機器接続用ブッシング６の配置をガス絶縁スイッチギヤ本体１に収納した内部機器要素の配置と適合できるガス絶縁スイッチギヤを得ることができる。
【００３９】
（５Ｂ）この発明による実施の形態５によれば、実施の形態１における前記（１Ａ）項〜（１Ｃ）項のいずれかの構成において、前記金属製密閉容器に収納された接地開閉器４からなる断路機能および接地機能を具備する開閉機器要素の可動軸４ｂの軸線上に、前記機器接続用ブッシング６内に設けられた接続端子６ｃ（図３参照）の中心を配置したので、ガス絶縁スイッチギヤ本体１内部における機器接続用ブッシング６から内部機器要素への接続構造を単純化できるとともに、機器接続用ブッシング６から外部への接続において寸法誤差等による位置調整の要請にも円滑に対応でき、しかも機器接続用ブッシング６の接続導体をガス絶縁スイッチギヤ本体１に収納した内部機器要素の軸線と適合できるガス絶縁スイッチギヤを得ることができる。
【００４０】
（５Ｃ）この発明による実施の形態５によれば、前記金属製密閉容器５に収納された接地開閉器４からなる断路機能および接地機能を具備する開閉機器要素の可動軸４ｂの軸線上に、前記機器接続用ブッシング６内に設けられた凸型部６ａを有する絶縁部材を形成する略円錐形の凹型部６ｂ（図３参照）の中心軸を配置したので、ガス絶縁スイッチギヤ本体内部における機器接続用ブッシング６から内部機器要素への接続構造を単純化できるとともに、機器接続用ブッシング６から外部への接続において寸法誤差等による位置調整の要請にも円滑に対応でき、しかも機器接続用ブッシング６の絶縁部材の中心軸をガス絶縁スイッチギヤ本体１に収納した内部機器要素の軸線と適合できるガス絶縁スイッチギヤを得ることができる。
【００４１】
実施の形態６．
この発明による実施の形態６を図１０について説明する。図１０は実施の形態６におけるガス絶縁スイッチギヤの構成を示す側面図である。
この実施の形態６において、ここで説明する特有の構成以外の構成については、先に説明した実施の形態１または実施の形態２における構成と同一の構成内容を具備し、同様の作用を奏するものである。図中、同一符号は同一または相当部分を示す。
【００４２】
図１０において、金属製密閉容器５の内部に収納された断路器３や接地開閉器４等の主回路機器の外部との電気的接続を行うため金属製密閉容器５の側方に気密に取付けられた機器接続用ブッシング６は、金属製密閉容器５内に収納している接地開閉器４の固定側端子４ｂの側方に配置し、また、上記接地開閉器４の水平に移動する可動子４ａの可動軸の軸線と機器接続用ブッシング６の中心部に設けられた接続端子６ｃの延在方向が一致するように配置している。さらに、接地開閉器４の水平に移動する可動子４ａの可動軸の軸線上に、前記機器接続用ブッシング６内に設けられた略円錐形の凹型部６ｂの中心軸が配置されている。
そして、機器接続用ブッシング６は架空電力線用ブッシング８とＬ形コネクタ９ｂを中間部分に有する可撓性を持つ接続導体９を介して接続されている。
【００４３】
（６Ａ）この発明による実施の形態６によれば、遮断器２からなる遮断機能を具備する遮断機器要素と、断路器３または接地開閉器４からなる断路機能および接地機能の少なくとも一方を具備する開閉機器要素とを絶縁性ガスを封入した接地された金属製密閉容器５に収納したスイッチギヤを並べて構成したガス絶縁スイッチギヤ本体を備え、前記遮断機器要素および開閉機器要素を架空電力線と接続するガス絶縁スイッチギヤにおいて、スイッチギヤ本体１を設置する基礎部１ａと共通の基礎部に前記スイッチギヤ本体１と並んで設けられ架空電力線接続用ブッシング８を支持する支持台７と、前記金属製密閉容器５の側部に少なくとも一端を前記金属製密閉容器５に挿入して設けられ前記遮断機器要素および開閉機器要素と接続され前記金属製密閉容器に収納された接地開閉器４からなる断路機能および接地機能を具備する開閉機器要素の固定側端子４ａの側方に配置した機器接続用ブッシング６とを設け、前記機器接続用ブッシング６と前記架空電力線接続用ブッシング８とを中間部分にＬ形コネクタ９ｂを有し可撓性を持つ接続導体９を介して接続するようにしたので、ガス絶縁スイッチギヤ本体１内部における機器接続用ブッシング６から内部機器要素への接続構造を単純化できるとともに、機器接続用ブッシング６から外部への接続において寸法誤差等による位置調整の要請にも円滑に対応できるガス絶縁スイッチギヤを得ることができる。
【００４４】
実施の形態７．
この発明による実施の形態７を図１１について説明する。図１１は実施の形態７におけるガス絶縁スイッチギヤの構成を示す側面図である。
この実施の形態７において、ここで説明する特有の構成以外の構成については、先に説明した実施の形態１における構成と同一の構成内容を具備し、同様の作用を奏するものである。図中、同一符号は同一または相当部分を示す。
【００４５】
この発明による実施の形態７におけるガス絶縁スイッチギヤの構成を示す図１１において、機器接続用ブッシング６が設けられたガス絶縁スイッチギヤ本体１の金属製密閉容器５の側部を、機器接続用ブッシング６を取り付けるための開口部５ａが金属製密閉容器５の内部から見て側方斜め上方に開口するように屈折させて構成されている。
そして、金属製密閉容器５の開口部５ａに取り付けられた機器接続用ブッシング６は、湾曲部９ａを有する可撓性を持つ導体９を介して架空電力線接続用ブッシング８に接続されている。
【００４６】
この発明による実施の形態７では、機器接続用ブッシング６を結合した金属製密閉容器５の側板を、ブッシング６を取り付けるための開口部５ａが側方斜め上方に開口するように屈折させることにより、機器接続用ブッシング６ブッシング６の形状を複雑にすることなく、ケーブルなどの接続導体９における曲率の制限から決定される架空電力線接続用ブッシング８の位置に関し架空電力線接続用ブッシング８をスイッチギヤ本体１に近付けて配置することができる。
【００４７】
（７Ａ）この発明による実施の形態７によれば、実施の形態１の前記（１Ａ）項〜（１Ｃ）項ならびに実施の形態４における前記（４Ａ）項および（４Ｂ）項のいずれかにおいて、前記機器接続用ブッシング６を設けた前記金属製密閉容器５の側部を、前記機器接続用ブッシング６を取り付けるための開口部５ａが金属製密閉容器５の内部から見て側方斜め上方に開口するように屈折させているので、ガス絶縁スイッチギヤ本体内部における機器接続用ブッシング６から内部機器要素への接続構造を単純化できるとともに、機器接続用ブッシング６から外部への接続において寸法誤差等による位置調整の要請にも円滑に対応でき、しかも機器接続用ブッシング６の形状を複雑にすることなく架空電力線接続用ブッシング８をスイッチギヤ本体１に近付けて配置できるガス絶縁スイッチギヤを得ることができる。
【００４８】
実施の形態８．
この発明による実施の形態８を図１２について説明する。図１２は実施の形態８におけるガス絶縁スイッチギヤの構成を示す側面図である。
この実施の形態８において、ここで説明する特有の構成以外の構成については、先に説明した実施の形態１における構成と同一の構成内容を具備し、同様の作用を奏するものである。図中、同一符号は同一または相当部分を示す。
【００４９】
この発明による実施の形態８におけるガス絶縁スイッチギヤの構成を示す図１２において、機器接続用ブッシング１６を設けた変圧器ＴＲの金属製密閉容器１６の側部を、機器接続用ブッシング１６を取り付けるための開口部１５ａが金属製密閉容器５の内部から見て側方斜め下方に開口するように屈折させて構成されている。
【００５０】
金属製密閉容器５の内部に収納された断路器３や接地開閉器４等の主回路機器の外部との電気的接続を行うため金属製密閉容器５の側方に気密に取付けられた機器接続用ブッシング６は、金属製密閉容器５内に収納している断路器３の固定側端子３ａの側方に配置し、また、上記断路器３の水平に移動する可動子３ｂの可動軸線とブッシング６の中心が一致するように配置している。
機器接続用ブッシング６は、金属製密閉容器５の内部に向かって略円錐形の凸型部６ａを外面に形成しこの凸型部６ａの内面に略円錐形の凹型部６ｂを有する絶縁部材により中心部に設けた接続端子６ｃを絶縁支持しており、金属製密閉容器５の開口部５ａに取り付けられている（図３参照）。
ガス絶縁スイッチギヤ本体１における金属製密閉容器５に設けられた機器接続用ブッシング６と変圧器ＴＲの金属製密閉容器１５に設けられた機器接続用ブッシング１６とは、湾曲部９ａを有する可撓性を持つ導体９によって接続されている。
【００５１】
（８Ａ）この発明による実施の形態８によれば、遮断機能を具備する遮断器２からなる遮断機器要素と、断路機能および接地機能の少なくとも一方を具備する断路器３または接地開閉器４からなる開閉機器要素とを絶縁性ガスを封入した接地された金属製密閉容器５に収納したガス絶縁スイッチギヤ本体１を備え、前記遮断機器要素および開閉機器要素を金属製密閉容器１５を有する変圧器ＴＲと接続するガス絶縁スイッチギヤにおいて、前記スイッチギヤ本体１と並んで設けられた前記変圧器ＴＲの金属製密閉容器１５の側部に少なくとも一端を前記金属製密閉容器１５に挿入して設けられた第１の機器接続用ブッシング１６と、前記スイッチギヤ本体１における前記金属製密閉容器５の側部に少なくとも一端を前記金属製密閉容器５に挿入して設けられ前記遮断機器要素および開閉機器要素と接続された第２の機器接続用ブッシング６とを設け、前記第１の機器接続用ブッシング１６と前記第２の機器接続用ブッシング６とを湾曲部９ａを有する可撓性を持つ導体９を介して接続するようにしたので、ガス絶縁スイッチギヤ本体内部における機器接続用ブッシング６から内部機器要素への接続構造を単純化できるとともに、機器接続用ブッシング６から外部への接続において寸法誤差等による位置調整の要請にも円滑に対応でき、しかも変圧器ＴＲにおける単純な構成の機器接続用ブッシング１６により内部機器要素を収納したガス絶縁スイッチギヤ本体１への接続を容易に行うことができる。
【００５２】
実施の形態９．
この発明による実施の形態９を図１３について説明する。図１３は実施の形態９におけるスイッチギヤの構成を示す側面図である。
この実施の形態９において、ここで説明する特有の構成以外の構成については、先に説明した実施の形態３における構成と同一の構成内容を具備し、同様の作用を奏するものである。図中、同一符号は同一または相当部分を示す。
【００５３】
この発明による実施の形態９におけるスイッチギヤの構成を示す図１３において、スイッチギヤ本体１１と並んで配設された変圧器ＴＲは金属製密閉容器１５を有し、機器接続用ブッシング１６を設けた変圧器ＴＲの金属製密閉容器１５の側部を、前記機器接続用ブッシング１６を取り付けるための開口部が側方斜め下方に開口するように屈折させて構成されている。
【００５４】
スイッチギヤ本体１１内には遮断器２，断路器３，接地開閉器４などの主回路機器を固体絶縁物１２でモールドし、固体絶縁物１２の外面を接地された導電層１２ａで覆った主回路部を配置し、固体絶縁物１２の側方に略円錐形の窪んだ接続導体接続部１２ｂを有し、固体絶縁物１２内に埋設された断路器３または接地開閉器４に接続された接続端子１２ｃを埋設している。
接続導体接続部１２ｂは、固体絶縁物１２の側方に略円錐形の凹部を形成して設けられ、接続端子１２ｃと機器接続用ブッシング６の中心部に設けられた接続導体９への接続端子６ｃを機械的に結合し、かつ、電気的に接続している（図６参照）。
スイッチギヤ本体１１に設けられた機器接続用ブッシング６は湾曲部９ａを有する可撓性を持つ導体９を介して変圧器ＴＲの機器接続用ブッシング１６に接続されている。
【００５５】
この発明による実施の形態９では、変圧器ＴＲにおける金属製密閉容器１５の側方に設ける機器接続用ブッシング１６の開口部１５ａを金属製密閉容器１５の内部から見て側方斜め下方のみに開口させることにより、機器接続用ブッシング１６の構造を単純な構造にできる。
【００５６】
（９Ａ）この発明による実施の形態９によれば、遮断器２からなる遮断機能を具備する遮断機器要素と、断路器３または接地開閉器４からなる断路機能および接地機能の少なくとも一方を具備する開閉機器要素とを固体絶縁物１２でモールドし、前記モールドされた固体絶縁物１２の外面に導電層１２ａを設け、この導電層１２ａを接地電位に接続して構成したスイッチギヤ本体１１を備え、前記遮断機器要素および開閉機器要素を金属製密閉容器１５を有する変圧器ＴＲと接続するスイッチギヤにおいて、前記スイッチギヤ本体１１と並んで設けられた前記変圧器ＴＲの金属製密閉容器１５の側部に少なくとも一端を前記金属製密閉容器１５に挿入して設けられた第１の機器接続用ブッシング１６と、前記固体絶縁物１２の側部に設けられ側方または側方斜め上方に開口する開口部に少なくとも一端を挿入して設けられた前記遮断機器要素および開閉機器要素と接続された第２の機器接続用ブッシング６とを設け、前記第１の機器接続用ブッシング１６と前記第２の機器接続用ブッシング６とを湾曲部９ａを有する可撓性を持つ導体９を介して接続するようにしたので、ガス絶縁スイッチギヤ本体１１内部における機器接続用ブッシング６から内部機器要素への接続構造を単純化できるとともに、機器接続用ブッシング６から外部への接続において寸法誤差等による位置調整の要請にも円滑に対応でき、しかも変圧器ＴＲにおける単純な構成の機器接続用ブッシング１６により固体絶縁物１２からなる内部機器要素を収納したスイッチギヤ本体１１への接続を容易に行うことができる。
【００５７】
（９Ｂ）この発明による実施の形態９によれば、実施の形態８における前記（８Ａ）項および実施の形態９における前記（９Ａ）項における構成において、前記機器接続用ブッシング１６を設けた変圧器ＴＲにおける前記金属製密閉容器１５の側部を、前記機器接続用ブッシング１６を取り付けるための開口部１５ａが前記金属製密閉容器１５の内部から見て側方斜め下方に開口するように屈折させているので、スイッチギヤ本体１１内部における機器接続用ブッシング６から内部機器要素への接続構造を単純化できるとともに、機器接続用ブッシング６から外部への接続において寸法誤差等による位置調整の要請にも円滑に対応でき、しかも機器接続用ブッシング６ブッシング６の形状を複雑にすることなく変圧器ＴＲをスイッチギヤ本体１に近付けて配置できるスイッチギヤを得ることができる。
【図面の簡単な説明】
【００５８】
【図１】この発明による実施の形態１におけるスイッチギヤの構成を示す側面図である。
【図２】この発明による実施の形態１におけるスイッチギヤの構成を示す端面図である。
【図３】この発明による実施の形態１における機器接続用ブッシングの詳細構成を示す拡大側面である。
【図４】この発明による実施の形態２におけるスイッチギヤの構成を示す側面図である。
【図５】この発明による実施の形態３におけるスイッチギヤの構成を示す側面図である。
【図６】この発明による実施の形態３における機器接続用ブッシングの詳細構成を示す拡大側面図である。
【図７】この発明による実施の形態４におけるガス絶縁スイッチギヤの構成を示す側面図である。
【図８】この発明による実施の形態５におけるガス絶縁スイッチギヤの構成を示す側面図である。
【図９】この発明による実施の形態５におけるスイッチギヤの構成を示す側面図である。
【図１０】この発明による実施の形態６におけるスイッチギヤの構成を示す側面図である。
【図１１】この発明による実施の形態７におけるスイッチギヤの構成を示す側面図である。
【図１２】この発明による実施の形態８におけるスイッチギヤの構成を示す側面図である。
【図１３】この発明による実施の形態９におけるスイッチギヤの構成を示す側面図である。
【符号の説明】
【００５９】
１  スイッチギヤ本体、１ａ  スイッチギヤの基礎部、２  遮断器、３  断路器、４  接地開閉器、４ｂ  接地開閉器の固定端子、５  金属製密閉容器、６  ブッシング、７  支持台、８  架空電力線接続用ブッシング、８ａ  架空電力線接続用ブッシングの先端部、９  接続導体、１０  避雷器、１０ａ  避雷器の主回路側端子、１１  スイッチギヤ本体、１１ａ  スイッチギヤの基礎部、１２  固体絶縁物、１２ａ  導電層、１２ｂ  接続導体接続部、１２ｃ  接続端子、１３  変流器、１４  保護枠。
【図１】
0004562653.tif 000002
【図２】
0004562653.tif 000003
【図３】
0004562653.tif 000004
【図４】
0004562653.tif 000005
【図５】
0004562653.tif 000006
【図６】
0004562653.tif 000007
【図７】
0004562653.tif 000008
【図８】
0004562653.tif 000009
【図９】
0004562653.tif 000010
【図１０】
0004562653.tif 000011
【図１１】
0004562653.tif 000012
【図１２】
0004562653.tif 000013
【図１３】
0004562653.tif 000014